(57)【要約】【課題】弾性リング体の上面（表面）に指を接触させながら筆記するのを好む使用者と、隣り合う弾性リング間に指を位置させながら筆記するのを好む使用者がいる。特に、人差し指だけは、弾性リング間に位置させたいと思っている使用者もいる。しかし、上述した従来技術にあっては、どの部分を把持して人差し指が弾性リング体の上面に少なくとも接触してしまう。故に、特定の使用者にとっては使い勝手が良いもの、他の使用者にとっては使い勝手が悪くなってしまう場合があった。【解決手段】軸の把持する部分に設けられたグリップであって、そのグリップのグリップ部を前記軸の軸線に対して傾斜させて設けると共に、そのグリップ部を非連続的に形成したグリップ。【選択図】  図１
2004175041.tif 000002
【特許請求の範囲】
【請求項１】
軸の把持する部分に設けられたグリップであって、そのグリップのグリップ部を前記軸の軸線に対して傾斜させて設けると共に、そのグリップ部を非連続的に形成したことを特徴とするグリップ。
【請求項２】
前記グリップ部を軸の軸線に対して線対称な位置に設けたことを特徴とする請求項１記載のグリップ。
【請求項３】
前記グリップ部を軸に対して突状、或いは、凹状としたことを特徴とする請求項１或いは、請求項２に記載のグリップ。
【請求項４】
前記グリップ部を軸に対して一体成形したことを特徴とする請求項１〜請求項３の何れかに記載のグリップ。
【発明の詳細な説明】
【０００１】
【発明の属する技術分野】
本発明は、軸の把持する部分に設けられたグリップに関する。
【０００２】
【従来の技術】
１例として、軸本体の外面に把持部となる弾性リング体を配置すると共に、その弾性リング体の外面に綾目状の溝や突部を形成した筆記具などの軸体が知られている（特許文献１参照）。
【０００３】
【特許文献１】
実開平４−４７５７４号公報（実用新案登録請求の範囲、第６図（ｂ）、第７図（ｂ））。
【０００４】
【発明が解決しようとする課題】
筆記する際、弾性リング体の溝や突部によってある程度の軸に対する滑りは防止されるものの、些か問題があった。
即ち、使用者によっては、弾性リング体の上面（表面）に指を接触させながら筆記するのを好む人もいれば、隣り合う弾性リング間に指を位置させながら筆記するのを好む人もいる。特に、人差し指だけは、弾性リング間に位置させたいと思っている使用者も少なからずいる。しかし、上述した従来技術にあっては、どの部分を把持して人差し指が弾性リング体の上面に接触してしまう。故に、特定の使用者にとっては使い勝手が良いもの、他の使用者にとっては使い勝手が悪くなってしまう場合があった。
【０００５】
【課題を解決するための手段】
本発明は、軸の把持する部分に設けられたグリップであって、そのグリップのグリップ部を前記軸の軸線に対して傾斜させて設けると共に、そのグリップ部を非連続的に形成したことを要旨とする。
【０００６】
【作用】
グリップ部の上面を把持しては勿論、隣り合うグリップ部間を把持しても、そのグリップ部の側面に指が接触し滑り止め効果が発生する。
【０００７】
【実施例】
第１例を図１〜図６に示し説明する。本発明のグリップをシャープペンシルに適用させた例であるが、ボールペンや電子ペン（スタイラスペン）などであっても良い。軸筒１の内部には、芯繰り出し機構が配置されており、その後部には芯繰り出し機構を作動させるノック部材２が取り付けられている。
又、軸筒１の前方には、前軸３が被着しており、その前軸３には多数の貫通孔４が形成されている。その貫通孔４は、前軸３の軸線５に対して傾斜した状態で形成されており、さらに、線対称な位置に非連続的に形成されている（図２参照）。
そして、その貫通孔４からは、筒状部材６の外周面に形成された突条のグリップ部７が露出している。勿論、そのグリップ部７も筒状部材６の軸線８に対して傾斜した状態で、しかも、線対称な位置に形成されている。具体的に説明すると、そのグリップ部７の軸線８に対する傾斜角度Ａは３０度をなしているが、３０度〜６０度の範囲であるならば、良好な角度と言える。即ち、筆記しているときにおいては、軸線８が筆記面に対して傾いた状態となっており、その傾斜角度（筆記角度）が一般的には４５度付近となっている。よって、筆記の際には、前記グリップ部７の長手方向の側面７ａと筆記面とがほぼ平行な状態となり、前述した作用である前軸３に対する指の滑り止め効果がより向上するのである。それ故に、軽く把持しても良好な筆記が得られ、疲れなどが軽減されることになる。
【０００８】
尚、前記筒状部材６は、樹脂や天然ゴム、エラストマーなどで形成されているが、前記前軸と一体的に２色成形などの手段によって形成しても良い。又、筒状部材６（グリップ部７）は、比較的軟らかい材質のもので形成するのが好ましいが、硬質な材質で形成するのであれば、グリップ部７の上面（表面）になし地などの微細な凹凸部を形成するのが好ましい。
さらに、前記軸筒１と前軸３とを一体的に形成し、その一体的に形成した前軸１の把持する部分に塗装や印刷などの手段によって前記傾斜したグリップ部７を施しても良いし、或いは、放電加工などによって傾斜したなし地部を形成し、そのなし地部をグリップ部７としても良い。
又、本実施例においては、クリップＣを軸線５に対してグリップ部７が位置していない部分に取り付けたが、筆記の良好性を考慮してのことである。つまり、一般的には、グリップ部の上面か側面が指に接触するように把持するものであり、その時、クリップが人指し指と親指の付け根の反対側に位置するようにしたのである。
【０００９】
第２例を図６、図７に示し説明する。前軸９の把持する部分には、逆Ｖ字型の貫通孔１０が形成されている。その貫通孔１０は前軸９の軸線に対して、Ｖ字状に傾斜しており、さらに、前軸９の軸線に対して線対称な位置に、且つ、非連続的に形成されている。そして、そのＶ字型の貫通孔１０のそれぞれには、グリップ部１１が貫通し露出している。前例に比し、グリップ部７の傾斜面が相対する方向に形成されているため、把持する部分の選択の幅が大きくなっている。即ち、使用者は、より自分に合った把持部を選択することができるものとなっている。
【００１０】
第３例を図８、図９に示し説明する。前軸１２の把持する部分には、その前軸１２の軸線に対して傾斜した状態で円形状の３個の貫通孔１３が直線上に形成されているが、その貫通孔１３の形状は楕円形状や多角形状であっても良い。又、傾斜したこの貫通孔１３は、前軸１２の軸線に対して線対称な位置に、且つ、非連続的に形成されている。そして、各々の貫通孔１３には、グリップ部１４が貫通し露出している。本例においては、粒状のグリップ部でグリップを構成しているため、指に接触する突状部分が減少し違和感が少なくなると共に、滑り止め効果としての機能も十分に発揮できるものとなっている。
【００１１】
尚、何れの例においても、グリップ部を前軸から突出させた例を挙げたが、傾斜したグリップ部を凹部としても良い。１例を挙げれば、前記第１例の筒状部材を除くと共に、貫通孔４の内面に面取り加工などを施せばよい。前軸の厚み（肉厚）分の凹部が形成され、その部分に指の表面部分が入り込み滑り止め効果が発生する。突条のグリップ部をあまり好まない使用者にとっては好適な例であり、部品点数組立工数の減少により安価に提供することができるようになる。前記貫通孔の面取り加工は、安全性を考慮してのことであり、入り込む指の肌に傷などを付けないためである。
【００１２】
【発明の効果】
本発明は、軸の把持する部分に設けられたグリップであって、そのグリップのグリップ部を前記軸の軸線に対して傾斜させて設けると共に、そのグリップ部を非連続的に形成したので、把持する部部が特定されない、使い勝手の良好なグリップを提供することができる。
【図面の簡単な説明】
【図１】
第１例を示す正面図。
【図２】図１の側面図。
【図３】図１の背面図。
【図４】前軸を示す要部断面図。
【図５】筒状部材を示す斜視図。
【図６】第２例を示す要部正面図。
【図７】図６の側面図。
【図８】第３例を示す要部正面図。
【図９】図８の側面図。
【符号の説明】
１      軸筒
２      ノック部材
３      前軸
４      貫通孔
５      軸線
６      筒状部材
７            グリップ部
８      軸線
９      前軸
１０    貫通孔
１１    グリップ部
１２    前軸
１３    貫通孔
１４    グリップ部
【図１】
2004175041.tif 000003
【図２】
2004175041.tif 000004
【図３】
2004175041.tif 000005
【図４】
2004175041.tif 000006
【図５】
2004175041.tif 000007
【図６】
2004175041.tif 000008
【図７】
2004175041.tif 000009
【図８】
2004175041.tif 000010
【図９】
2004175041.tif 000011